(57)【要約】【課題】  折り込むことでＬＥＤ光源の間隔を変えたときに、ＬＥＤ光源から放出された光が帯状本体で遮られることのない光源装置を供給することにある。【解決手段】長手方向に所定の間隔でＬＥＤ光源１が設けられ自身を折り込むことでＬＥＤ光源１の間隔を変えることができる帯状本体２と、ＬＥＤ光源１に電力を供給する導体３と、を備えた光源装置において、帯状本体２を、前面側にＬＥＤ光源１が設けられた平板状部２ａａと、平板状部２ａａの両隣に屈曲部２ａｂを介して配置され平板状部２ａａをその両側から前面側に押し出すように支持可能な平板状脚部２ａｃと、を有する光源突出単位体２ａが、互いの平板状脚部２ａｃを連結する連結屈曲部２ａｄにより複数帯状に配置されているものとした。【選択図】        図１
2006119392.tif 000002
【特許請求の範囲】
【請求項１】
長手方向に所定の間隔でＬＥＤ光源が設けられ自身を折り込むことでＬＥＤ光源の間隔を変えることができる帯状本体と、前記ＬＥＤ光源に電力を供給する導体と、を備えた光源装置において、
前記帯状本体を、前面側に前記ＬＥＤ光源が設けられた平板状部と、平板状部の両隣に屈曲部を介して配置され平板状部をその両側から前面側に突出するように支持可能な平板状脚部と、を有する光源突出単位体が、互いの平板状脚部を連結する連結屈曲部により複数帯状に配置されているものとしたことを特徴とする光源装置。
【請求項２】
前記帯状本体は、複数のシートを積層したものであり、前記ＬＥＤ光源を少なくとも一部が透光性のシートで挟みこんだことを特徴とする請求項１記載の光源装置
【発明の詳細な説明】
【技術分野】
【０００１】
本発明は、折り込むことで光源の間隔を変えることができるライン状の光源装置に関する。
【背景技術】
【０００２】
この種の光源装置としては、実開平５−４３１８４号公報に開示されたものがある。図６は、これに開示された光源装置の一部斜視図である。
このものは、可撓性帯状本体１２と、可撓性帯状本体１２の同一面上に所定の間隔で取付けられた光源１３と、光源１３に電力を供給する可撓性帯状本体１２に被覆された導体１１と、を備えて形成されている。
このものの取付けを説明する。このものは、可撓性帯状本体１２を折り曲げ又は折り込んで可撓性帯状本体１２を所望の形状とし、この状態でタグピン３０を用いて可撓性帯状本体１２を垂れ幕などの支持体２０に取付けるものである。
【０００３】
このものは、可撓性帯状本体１２に光源１３が取付けられているので、垂れ幕などの柔軟性のある支持体２に支持体２の動きに追随して取付けることができるうえに、容易に折り曲げ又は折り込みできるので直線的な種々の形状（例えば、光源１３の間隔を縮めたような形状）を形成することができる。特に、可撓性帯状本体１２に図７に示すような略波形部（蛇腹状部）１６が形成されている場合には、これを曲げて円形や曲線などの形状を作ることができるので、直線からなる形状のみならず種々の形状を作ることができるものとなる。これにより光源１３も種々の形状に沿った形で配置することができる。
【特許文献１】実開平５−４３１８４号公報
【発明の開示】
【発明が解決しようとする課題】
【０００４】
ところで前述した光源装置の光源１３としては、寿命が長いことや形状が小さいことあるいは強度的に強いことなどから、ＬＥＤ光源が使われることが多い。しかし、ＬＥＤ光源は背の低い部品のため、前記した略波形部（蛇腹状部）１６が山状に盛り上がった場合などは、ＬＥＤ光源から放出された光が略波形部（蛇腹状部）１６で遮られることがあった。
【０００５】
本発明は、上記事由に鑑みてなしたもので、その課題は、折り込むことでＬＥＤ光源の間隔を変えたときに、ＬＥＤ光源から放出された光が帯状本体で遮られることのない光源装置を供給することにある。
【課題を解決するための手段】
【０００６】
本発明の光源装置は、長手方向に所定の間隔でＬＥＤ光源が設けられ自身を折り込むことでＬＥＤ光源の間隔を変えることができる帯状本体と、前記ＬＥＤ光源に電力を供給する導体と、を備えた光源装置において、
前記帯状本体を、前面側に前記ＬＥＤ光源が設けられた平板状部と、平板状部の両隣に屈曲部を介して配置され平板状部をその両側から前面側に押し出すように支持可能な平板状脚部と、を有する光源突出単位体が、互いの平板状脚部を連結する連結屈曲部により複数帯状に配置されているものとしたことを特徴とする。
【発明の効果】
【０００７】
本願発明の光源装置にあっては、帯状本体を、前面側にＬＥＤ光源が設けられた平板状部と、平板状部の両隣に屈曲部を介して配置され平板状部をその両側から前面側に突出するように支持可能な平板状脚部と、を有する光源突出単位体が、互いの平板状脚部を連結する連結屈曲部により複数帯状に配置されているものとしたことにより、帯状本体の一部である屈曲部や連結屈曲部を折り込んでＬＥＤ光源の間隔を変えた場合であってもＬＥＤ光源が設けられた平板状部が帯状本体の前面側に突出するので、ＬＥＤ光源から放出された光が帯状本体で遮られることのないものとなる。
【発明を実施するための最良の形態】
【０００８】
本発明の請求項１、２に対応した実施の形態を図１〜図５を用いて説明する。図１は光源装置の一部斜視図、図２はこのものの一部分解斜視図、図３はこのものの要部断面図、図４はこのものを平らな状態に伸ばしたときの要部断面図、図５はこのものを扇形にしたときの一部斜視図である。
【０００９】
この光源装置は、長手方向に所定の間隔でＬＥＤ光源１が設けられ自身を折り込むことでＬＥＤ光源１の間隔を変えることができる帯状本体２と、ＬＥＤ光源１に電力を供給する導体３と、引き出し線５と、を備えて構成されている。
ＬＥＤ光源１は、所謂ＬＥＤ素子であり、プラス電極とマイナス電極とを有し両電極に直流電圧を印加することで点灯するものであり、ここでは白色の光を放出するものを使用している。また、各々のＬＥＤ光源１には、後述する導体３が配線されている。
【００１０】
帯状本体２は、複数の光源突出単位体２ａが後に説明する連結屈曲部２ａｄにより帯状に配置されているものであり、全体としては蛇腹形状をなしている。ここで光源突出単位体２ａとは、前面側にＬＥＤ光源１が設けられた平板状部２ａａと、平板状部２ａａの両隣に屈曲部２ａｂを介して配置され平板状部２ａａをその両側から前面側に突出するように支持可能な平板状脚部２ａｃと、を備えて形成されたものである。また光源突出単位体２ａの互いの平板状脚部２ａｃを連結するものが帯状本体２である。なお、前記した屈曲部２ａｂと連結屈曲部２ａｄは、図３に示すように連結屈曲部２ａを折りこんで帯状本体２を波型にしたり、あるいは、図４に示すように両屈曲部を折り込まないで帯状本体２を平らな状態にしたりすることができるものである。
【００１１】
帯状本体２をさらに詳しく説明すると、帯状本体２は、ＬＥＤ光源１と導体３を被覆する表側シート１ａ１と、同様にＬＥＤ光源１と導体３を被覆する裏側シート２ａ２と、を積層したものであり、積層する際に表側シート１ａ１と裏側シート２ａ２との間にＬＥＤ光源１と導体３を挟み込んでいる。
また、表側シート１ａ１は、内部配線が確認できる透光性の樹脂で形成され、裏側シート２ａ２は、非透光性の樹脂で形成されている。なお、裏側シート２ａ２は、白色などのＬＥＤ光源から放出された光を反射する色のものが好ましい。
【００１２】
導体３は、帯状本体２の短手方向の一方にプラス電位の導体３ａが他方にマイナス電位の導体３ｃが帯状本体２の長手方向に沿って配線されている。また、プラス電位の導体３ａとマイナス電位の導体３ｃとの間には、ＬＥＤ光源１が配設され、図２に示したものの場合は、８個のＬＥＤ光源１が配設されている。そして、この８個のＬＥＤ光源１は、直列接続用導体３ｂによりプラス電位の導体３ａとマイナス電位の導体３ｃとの間で直列接続されている。このように直列接続することで汎用の直流電源が使用できるようになる。そして、この８個のＬＥＤ光源１を一組として、複数組が帯状本体２に沿って配設されている。
【００１３】
引き出し線５は、受電用の電線であり、この場合引き出し線５には、２４Ｖの直流電圧が印加される。
【００１４】
次に、このように構成された光源装置を壁面に取付けるときの取扱いを説明する。まず、ＬＥＤ光源１の間隔を最大限広げた場合を説明する。光源装置を取り付けたい壁面に沿わせその一端部を取り付け具で固定する。そして、帯状本体２を広げたまま（図４のような状態にしたまま）取付け具で適宜固定していく。ここで言うとり付け具は、両面テープ、フック、釘、などを用いることができる。特に、釘を用いる場合は、表側シート１ａ１が透光性の樹脂で形成されているので、その内部配線である導体３が確認できるので導体３の間隔が広いところに釘を打ち付ければよい。次に、ＬＥＤ光源１の間隔を狭くした場合を説明する。光源装置を取り付けたい壁面に沿わせその一端部を取り付け具で固定する。そして、帯状本体２の蛇腹状の本体を所望の程度縮めたまま、すなわち図３のように帯状本体２の一部である屈曲部２ａｂや連結屈曲部２ａｄを折り込んでＬＥＤ光源１を所望の間隔にしたときＬＥＤ光源１が設けられた平板状部２ａａが帯状本体２の前面側に突出するような状態になるので、その状態で取付け具を用いて適宜固定していく。（この場合の取付け具は、両面テープは適切ではない。）また、ＬＥＤ光源１を扇形に配置したいときは、帯状本体２を図５のように変形させて取り付け具で適宜固定すればよい。
【００１５】
以上のようにすることでＬＥＤ光源１の間隔を所望のものにして光源装置を壁面に取付けることができる。そして、このいずれの取付けにおいてもＬＥＤ光源１は、自身から放出された光が帯状本体２で遮られることがない配置となっている。この状態で引き出し線５に電圧を印加するとＬＥＤ光源１から放出された光が帯状本体２で遮られることなく、所望の形状のライン光源を得ることができるものとなる。
【００１６】
この実施の形態によると、帯状本体２を、前面側にＬＥＤ光源１が設けられた平板状部２ａａと、平板状部２ａａの両隣に屈曲部２ａｂを介して配置され平板状部２ａａをその両側から前面側に突出するように支持可能な平板状脚部２ａｃと、を有する光源突出単位体２ａが、互いの平板状脚部２ａｃを連結する連結屈曲部２ａｄにより複数帯状に配置されているものとしたことにより、帯状本体２の一部である屈曲部２ａｂや連結屈曲部２ａｄを折り込んでＬＥＤ光源１の間隔を変えた場合であってもＬＥＤ光源１が設けられた平板状部２ａａが帯状本体２の前面側に突出するので、ＬＥＤ光源１から放出された光が帯状本体２で遮られることのないものとなる。
【００１７】
また、帯状本体２を複数の光源突出単位体２ａが連結屈曲部２ａｄで帯状に配置されるものとし、帯状本体２に応力を加えないときに（すなわち自然な状態で）図１のようなＬＥＤ光源１同士の間隔が所定の間隔となる波形状のものとしたときは、帯状本体２を適宜、伸ばしたり、縮めたり、あるいは、扇形にしたときに、ＬＥＤ光源１同士の間隔が自然と略同じ間隔になるのでＬＥＤ光源１がバランスの良い配置となるライン光源とできる。
また、壁面に取り付けたさいに帯状本体２が波形状をして、平板状部２ａａが壁面より離れたものとなると、この部分に空気の対流が起こりやすく壁面が木板などのように放熱性の悪い部材であるときは好都合である。
【００１８】
また、帯状本体２を複数のシートを積層したものとし、ＬＥＤ光源１を少なくとも一部が透光性のシートで挟みこんだものとしたことにより、その加工性が容易なものとなる。さらに表側のシートを全て透光性のものとしたときは、内部配線が確認できるので光源装置を釘止めするさいにおいて釘止めできる箇所とできない箇所が目視にてわかるものとなる。
【図面の簡単な説明】
【００１９】
【図１】本発明の実施の形態に係る図で、光源装置の一部斜視図である。
【図２】同上の光源装置の一部分解斜視図である。
【図３】同上の光源装置の要部断面図である。
【図４】同上の光源装置を平らな状態に伸ばしたときの要部断面図である。
【図５】同上の光源装置を扇形にしたときの一部斜視図である。
【図６】従来例に係る、光源装置の一部斜視図である。
【図７】同上の光源装置の要部断面図である。
【符号の説明】
【００２０】
１      ＬＥＤ光源
２      帯状本体
２ａ    光源突出単位体
２ａａ  平板状部
２ａｂ  屈曲部
２ａｃ  平板状脚部
２ａｄ  連結屈曲部
３      導体
【図１】
2006119392.tif 000003
【図２】
2006119392.tif 000004
【図３】
2006119392.tif 000005
【図４】
2006119392.tif 000006
【図５】
2006119392.tif 000007
【図６】
2006119392.tif 000008
【図７】
2006119392.tif 000009